(57)【特許請求の範囲】
【請求項１】
枠体と、電子回路ユニットを収容した対をなす筐体が両開き形状になるように蝶番によりこの枠体に取付けられ、その筐体の背面には前記電子回路ユニットに接続される配線を収容する切り欠き部が形成され、この配線は、前記切り欠き部に収容された固定部と、この固定部に連結され前記蝶番を軸に筐体が回動するにしたがい変形する可動部とからなるとともに、前記筐体を前記蝶番を軸に開位置に回動させた状態で表面からアクセス可能に形成された筐体ブロックが複数段積み重ねられ、前記筐体ブロックの各段毎に、前記切り欠き部の裏面に上下に摺動可能なカバーが設けられたことを特徴とする電子機器装置。
【発明の詳細な説明】
【０００１】
【発明の属する技術分野】
本発明は、電子回路ユニットを収容した筐体ブロックを複数個積み重ねて使用する装置に利用する。
【０００２】
【従来の技術】
電子回路ユニットを収容した筐体ブロックを複数個積み重ねて使用する電子機器装置の従来例を図３に示す。従来の電子機器装置は、図３に示すように、筐体ブロック１０を複数個積み重ねて、それぞれの筐体ブロック１０に収容されている電子回路ユニットに外部ケーブル４から配線を行う。配線作業終了後は、端子板６にカバー７を施す。
【０００３】
【発明が解決しようとする課題】
このような従来の電子機器装置では、外部ケーブル４から筐体ブロック１０に収容されている電子回路ユニットに配線を行う場合に、筐体ブロック１０の側面あるいは裏面に配線作業のための空間を設けておくことが必要になる。したがって、筐体ブロック１０の設置空間の他に、配線作業時だけに使用する目的で空間を設けておく必要があり、空間の利用効率が低下する。
【０００４】
また、一般に、外部ケーブル４が設置されている側からの配線作業を行う場合が多く、このような場合には、外部ケーブル４が配線作業の邪魔にならないように、積み重ねられた筐体ブロック１０から配線作業を施す筐体ブロック１０を取り外して作業したり、積み重ねられた筐体ブロック１０の位置を作業し易い位置に移動させるなどの工程が必要となる場合があり、作業効率の低下を招く。特に、カバー７は、筐体ブロック１０にネジ留めされており、これを着脱するためには、ドライバによる着脱作業が可能な程度の空間をカバー７の取付け側に確保することが必要である。
【０００５】
また、配線作業のために筐体ブロック１０を移動させる場合には、装置を停止させる必要が生じる場合が多く、装置の稼働効率の低下を招くことは避けられない。
【０００６】
本発明は、このような背景に行われたものであって、設置空間の利用効率を向上させることができる電子機器装置を提供することを目的とする。本発明は、配線作業効率を向上させることができる電子機器装置を提供することを目的とする。本発明は、装置の稼働効率の低下を回避させることができる電子機器装置を提供することを目的とする。
【０００７】
【課題を解決するための手段】
本発明は、外部ケーブルが貫通する切り欠き部を筐体ブロック裏面上部から裏面下部にわたり形成し、この切り欠き部を貫通する外部ケーブルからの配線作業を筐体ブロックの前面から行うことを特徴とする。さらに、切り欠き部にはカバーを装着することができ、このカバーは筐体ブロックの前面から抜き差しすることを特徴とする。これにより、外部ケーブルを筐体ブロックの一部に収容し、筐体ブロックと外部ケーブルとが設置空間を共有することができるため、設置空間の利用効率を向上させることができる。
【０００８】
また、筐体ブロックの一部に収容した外部ケーブルからの配線作業は、筐体ブロックの前面から可能であるため、配線作業のために筐体ブロックの位置を移動させる工程を省くことができる。したがって、作業効率を向上させることができる。また、筐体ブロックの位置を移動させなくともよいため、装置を停止させることなく配線作業を行うことができるので、装置の稼働効率の低下を回避することができる。また、筐体ブロックの各段毎に外部ケーブル収容部の裏面に上下に摺動可能なカバーが設けられているため、作業前に裏面カバーを取り外すことで外部ケーブルを外すことなく作業を行い、作業終了後前面から裏面カバーを再度取り付けることができる。
【０００９】
すなわち、本発明は、電子機器装置であって、枠体と、電子回路ユニットを収容した対をなす筐体が両開き形状になるように蝶番によりこの枠体に取付けられ、その筐体の背面には前記電子回路ユニットに接続される配線を収容する切り欠き部が形成され、この配線は、前記切り欠き部に収容された固定部と、この固定部に連結され前記蝶番を軸に筐体が回動するにしたがい変形する可動部とからなるとともに、前記筐体を前記蝶番を軸に開位置に回動させた状態で表面からアクセス可能に形成された筐体ブロックが複数段積み重ねられ、前記筐体ブロックの各段毎に、前記切り欠き部の裏面に上下に摺動可能なカバーが設けられたことを特徴とする。
【００１０】
【発明の実施の形態】
発明の実施の形態を図１および図２を参照して説明する。図１は筐体ブロックの構成を示す図である。図２は筐体ブロックと外部ケーブルとの関係を示す図である。
【００１１】
本発明は電子機器装置であって、枠体１と、電子回路ユニットを収容した対をなす筐体５が両開き形状になるように蝶番によりこの枠体１に取付けられ、その筐体５の背面には前記電子回路ユニットに接続される配線を収容する切り欠き部である外部ケーブル収容部２が形成され、この配線は、外部ケーブル収容部２に収容された固定部８と、この固定部８に連結され前記蝶番を軸に筐体５が回動するにしたがい変形する可動部９とからなるとともに、筐体５を前記蝶番を軸に開位置に回動させた状態で表面からアクセス可能に形成された筐体ブロック１０が複数段積み重ねられたことを特徴とする。筐体ブロック１０の各段毎に、外部ケーブル収容部２の裏面に上下に摺動可能なカバー３が設けられる。
【００１２】
図１および図２に示すように、筐体ブロック１０の中央奥に外部ケーブル収容部２を配置する。外部ケーブル収容部２のカバー３は、上下方向にスライドし、取り外しが可能な構成である。外部ケーブル４が架上より外部ケーブル収容部２に導入される。このとき、稼働中の装置に、別の筐体ブロック１０を増設する場合には、増設作業前にカバー３を取り外すことにより、外部ケーブル４を外すことなく、外部ケーブル４に筐体ブロック１０を覆い被せる形態で外部ケーブル４を筐体ブロック１０に取り込むことができる。さらに、対をなす筐体５を両開き状態とすることにより、筐体ブロック１０の前面から配線作業を行うことができる。また、カバー３は、配線作業終了後に前面より再度取り付けることができる。
【００１３】
図２に示す固定部８は端子板であり、この端子板は、各電子回路ユニットに可動部９により接続されている。可動部９はリボンケーブルなどのフレキシブルケーブルにより実現され、固定部８の端子板と電子回路ユニットとを接続する。外部ケーブル４を固定部８の端子板に配線することにより、外部ケーブル４と電子回路ユニットとを接続することができる。
【００１４】
【発明の効果】
以上説明したように、本発明によれば、装置の設置空間の利用効率を向上させることができる。配線作業効率を向上させることができる。装置の稼働効率の低下を回避させることができる。
【図面の簡単な説明】
【図１】本発明実施例の筐体ブロックの構成を示す図。
【図２】本発明実施例の筐体ブロックと外部ケーブルとの関係を示す図。
【図３】従来の電子機器装置の構成を示す図。
【符号の説明】
１  枠体
２  外部ケーブル収容部
３、７  カバー
４  外部ケーブル
５  筐体
６  端子板
８  固定部
９  可動部
１０  筐体ブロック
【図１】
0003641389.tif 000002
【図２】
0003641389.tif 000003
【図３】
0003641389.tif 000004